(57)【要約】      （修正有）【課題】外スライドコアの保持・固定又はスライドの開始タイミングが確実で安定しており、精確な形状及び良好な外観品質を有する樹脂成形品を得ることができる射出成形用金型を提供する。【解決手段】射出成形用金型は、可動側型板２０と、その可動側型板の板面上に保持され型開き方向に直交する方向にスライドする左右のスライドコア３０と、それらのスライドコアとパーティングラインＰＬを挟んで対向する固定側型板１０と、を有する樹脂成形品の射出成形用金型であって、固定側型板は、スライドコアをスライドさせるアンギュラピン１３と、そのスライドを禁じ又はガイドしてスライドさせるスライド押え１５と、を有し、スライドコアは、アンギュラピンを挿通する長穴のピン穴３２と、スライド押えに当接するローラ３５と、そのローラをスライド押えに押圧するばね３４と、を有してなる。【選択図】図２
0003225897.tif 000002
【実用新案登録請求の範囲】
【請求項１】
可動側型板と、その可動側型板の板面上に保持され型開き方向に直交する方向にスライドする左右のスライドコアと、それらのスライドコアとパーティングラインPLを挟んで対向する固定側型板と、を有する樹脂成形品の射出成形用金型であって、
前記固定側型板は、前記スライドコアをスライドさせるアンギュラピンと、そのスライドを禁じ又はガイドしてスライドさせるスライド押えと、を有し、
前記スライドコアは、前記アンギュラピンを挿通する長穴のピン穴と、前記スライド押えに当接するローラと、そのローラを前記スライド押えに押圧するばねと、を有してなる射出成形用金型。
【請求項２】
スライド押えのローラが当接するガイド面部は、型開き方向に平行な直線部と、スライドコアを次第に外方にガイドする傾斜部からなることを特徴とする請求項１に記載の射出成形用金型。
【請求項３】
スライド押え又はローラは、パーティングラインPLに対して上下位置が調整可能になっていることを特徴とする請求項１又は２に記載の射出成形用金型。
【考案の詳細な説明】
【技術分野】
【０００１】
本考案は、アンダーカットを有する樹脂成形品の射出成形用金型に係り、特に当該アンダーカットの成形に係るスライドコアの作動タイミングを調整することができる射出成形用金型に関する。
【背景技術】
【０００２】
複数のアンダーカットを有する親子スライドコアなどは、それぞれのアンダーカットの成形に係るスライドコアの作動タイミングを調整する手段が設けられている。そしてスライドコアのタイミングを調整する手段として、油圧又は空圧シリンダなどの駆動手段を用いるもの、アンギュラピンとそのピン穴による機械的な手段などが用いられている。この機械的な手段を用いる金型は、コンパクトで経済的であるという利点を有している。
【０００３】
例えば、特許文献１に、アンダーカット面に別のアンダーカットの穴等を設けることができる射出成形用金型が提案されている。すなわち、可動型板に取付けたスライドコアを、固定型板より突出したアンギュラピンにより動作させる射出成形用金型において、スライドコア内部に別のスライドコアを内蔵し、それぞれのスライドコアをアンギュラピンにより作動させることができる射出成形用金型が提案されている。この射出成形用金型は、外スライドコア内に、別の中スライドコアを内蔵し、これらの動作を、アンギュラピンと外スライドコアのアンギュラ穴とのギヤツプによる、２つのスライドコアの動作に時間差を設けたことに特徴があるとされる。
【０００４】
特許文献２には、第１型抜き方向の第１アンダーカット部と、該第１型抜き方向と交差する第２型抜き方向の第２アンダーカット部とをもつ成形品を成形する成形用金型であって、該第２型抜き方向に移動可能で該第２アンダーカット部を形成する第１スライドコアと、該第１スライドコアと係合し、該第１スライドコアの移動により該第１スライドコアの移動から遅れて駆動される第２スライドコアと、該第２スライドコアと係合し、該第２スライドコアの移動により該第１型抜き方向に駆動され、該第１アンダーカット部を形成する第３スライドコアと、を具備する成形用金型が提案されている。この成形用金型において、第１スライドコア2は、上型1に保持された傾斜ピン11により駆動され、その傾斜ピン11より大きい角度に形成された上型1のガイド面12に係合しているとされる。
【先行技術文献】
【特許文献】
【０００５】
【特許文献１】特開昭62-240522号公報
【特許文献２】特開平4-158006号公報
【考案の概要】
【考案が解決しようとする課題】
【０００６】
特許文献１又は２に記載の射出成形用金型における外スライドコアの作動は、アンギュラピンとアンギュラ穴（傾斜ピンとガイド孔）の摺動、およびスライドコアと固定型板のロッキングブロック又は上型（固定型板）との摺動によって行われる。すなわち、特許文献１に記載の射出成形用金型における外スライド4の作動は、アンギュラピン3がアンギュラ穴6の内壁部に係合して摺動することにより、外スライド4が固定型板13のロッキングブロック12のガイド面に沿って摺動することによって行われる。また、特許文献２に記載の成形用金型における第１スライドコア2の作動は、上型1に保持された傾斜ピン11がガイド孔22の内壁部に係合して摺動することにより、第１スライドコア2が上型1のガイド面12に沿って摺動することによって行われる。
【０００７】
かかる外スライドコアの作動は、アンギュラピンとアンギュラ穴内壁部との接触・摺動、そして外スライドコアと固定型板との接触・摺動に依存し、それらの接触・摺動のタイミングを調整する機能は無い。また、外スライドコアの保持・固定又はスライドの開始は、特許文献１に記載の射出成形用金型においては、外スライドコアのスライド面に設けた位置決め穴に係合又は離脱する可動側型板からばね力に付勢されて突出する位置決めピンの作動によっているので作動が安定していない。また、かかる位置決めピンは外れやすく、スライドコアが不用意にスライドするという問題がある。このため、外スライドコアの保持・固定又はスライドの開始タイミングが確実で安定しており、精確な形状及び良好な外観品質を有する樹脂成形品を得ることができる射出成形用金型が求められている。
【０００８】
本考案は、係る従来の問題点及び要請に鑑み、外スライドコアの保持・固定又はスライドの開始タイミングが確実で安定しており、精確な形状及び良好な外観品質を有する樹脂成形品を得ることができる射出成形用金型を提供することを目的とする。
【課題を解決するための手段】
【０００９】
本考案に係る射出成形用金型は、可動側型板と、その可動側型板の板面上に保持され型開き方向に直交する方向にスライドする左右のスライドコアと、それらのスライドコアとパーティングラインPLを挟んで対向する固定側型板と、を有する樹脂成形品の射出成形用金型であって、前記固定側型板は、前記スライドコアをスライドさせるアンギュラピンと、そのスライドを禁じ又はガイドしてスライドさせるスライド押えと、を有し、前記スライドコアは、前記アンギュラピンを挿通する長穴のピン穴と、前記スライド押えに当接するローラと、そのローラを前記スライド押えに押圧するばねと、を有してなる。
【００１０】
上記考案において、スライド押えのローラが当接するガイド面部は、型開き方向に平行な直線部と、スライドコアを次第に外方にガイドする傾斜部からなるものがよい。
【００１１】
また、スライド押え又はローラは、パーティングラインPLに対して上下位置が調整可能になっているものがよい。
【考案の効果】
【００１２】
本考案に係る射出成形用金型は、外スライドコアの保持・固定又はスライドの開始タイミングが確実で安定しており、精確な形状及び良好な外観品質を有する樹脂成形品を成形することができる。本考案は、スライドコアの作動タイミングを調整することが必要な複数のアンダーカットを有する射出成形用金型にも適用することができる。
【図面の簡単な説明】
【００１３】
【図１】型締め後、樹脂の射出が完了したときの本考案に係る射出成形用金型の状態を示す説明図である。
【図２】図１に示す射出成形用金型の一部拡大図である。
【図３】図１に示す射出成形用金型において固定側型板のシャンプーブラシのピンの成形に係る部分が離型した後、アンギュラピンがスライドのピン穴内周面に当接したときの状態を示す説明図である。
【図４】図１に示す射出成形用金型のスライドの作動が完了したときの状態を示す説明図である。
【図５】図１に示す射出成形用金型により樹脂成形が完了し、成形された樹脂成形品をエジェクタースリーブピンで離型するときの状態を示す説明図である。
【考案を実施するための形態】
【００１４】
以下、考案を実施するための形態について、図面を基に説明する。図１は、本考案に係る射出成形用金型を用いて樹脂成形品を成形する場合の、樹脂の射出が完了したときの状態を示す説明図である。図２は、本射出成形用金型の一部拡大図である。図１又は図２に示すように、本射出成形用金型は、可動側型板20と、可動側型板20の板面上に保持され型開き方向に直交する方向にスライドする右側のスライドコア301と左側のスライドコア302と、それらのスライドコア30（スライドコア301及び302）とパーティングラインPLを挟んで対向する固定側型板10と、を有する。このスライドコア301及び302は、いわゆる外スライド型の金型であり、本射出成形用金型の外側部分にあって金型の中心線Cに対して外方（型開き方向に直交する方向）にスライドする金型である。この射出成形用金型により成形される樹脂成形品50は、シャンプーブラシであり、供物台様の本体51の皿部にピン53が林立している形状をしている。
【００１５】
固定側型板10は、スライドコア30をスライドさせるアンギュラピン13と、スライドコア30のスライドを禁じ又はスライドコア30をガイドしてスライドさせるスライド押え15と、を有している。固定側型板10は、樹脂成形品50（シャンプーブラシ）のピン53を含む皿部上面を形成するキャビティを構成している。ピン53を形成するキャビティは、金型中心線Cと平行方向（型開き方向）になっている。
【００１６】
アンギュラピン13は、所定の傾斜角をもって固定側型板10に保持され、スライドコア30のピン穴32に挿通されている。スライド押え15は、固定側型板10の側面に保持され、型開き方向に平行な直線部とこれに続く傾斜部を有しており、以下に説明するローラ35のガイド面部を形成している。本例のスライド押え15は、固定側型板10に螺結されており、そのボルト穴がばか穴になっている。これにより、スライド押え15はパーティングラインPLからの高さ位置を調整することができる。なお、ローラ35の高さ位置を調整可能にするものであってもよい。
【００１７】
スライドコア30は、側端部にスライド押え15に当接するローラ35を有している。そして、ローラ35は、ばね34により常にスライド押え15に押圧されている。ばね34は、その中心部を貫通するコアシャフト33に保持されてばね室30aに収納されている。図１又は２においては、ローラ35はスライド押え15の直線部にガイドされており、スライドコア30は左右のスライド押え15に確実に保持され、そのスライドが禁じられている。このため、スライドコア30が不用意にスライドすることはない。ばね34は、スライドコア30が所定位置に保持され、またスライドコア30が所定の作動をするようにそのばね弾性が求められる。
【００１８】
スライドコア30のピン穴32は長穴になっており、アンギュラピン13とギャプ部32aを有している。このギャプ部32aにより、型開き後のスライドコア30が作動する時間差を設けることができる。本射出成形用金型においては、スライドコア30の作動タイミングを安定・精確に制御することができる。このため、ピン穴32のギャブ部32aを大きく取ることができ、スライドコア30のスライド開始の時間差を大きく取ることができる。
【００１９】
可動側型板20は、その上面の板面がスライドコア30のスライド面になっており、板面中央部に台部20aを有している。台部20aにはコアシャフト33が螺結され、板面上に延在している。また、可動側型板20は、金型中心線Cに沿って可動側型板20を貫通するエジェクタースリーブピン25と、その内部を貫通して固定側型板10に当接するコアピン26とを有している。
【００２０】
図１又は２に示すように本射出成形用金型に樹脂が射出された後は、図３から図５に示すように型開きされ、成形された樹脂成形品50の離型が行われる。先ず、図３に示すように、固定側型板10の樹脂成形品50（シャンプーブラシ）のピン53の成形に係る金型部分がピン53から完全に離型される。このとき、ローラ35はスライド押え15の直線部と傾斜部の交点部分にある。すなわち、樹脂成形品50の本体51が確実にスライドコア30に保持された状態でピン53の離型が行われる。これにより、ピン53の品質の毀損を防止することができる。
【００２１】
さらに型開きが進むと、図４に示すように、アンギュラピン13がピン穴14の内周面を摺動することにより、ローラ35はスライド押え15の傾斜部にガイドされて次第に外方に転動し、スライドコア30が外方に次第にスライドする。そして、樹脂成形体50はコアピン26に保持された状態になる。かかる樹脂成形体50は、図５に示すように、エジェクターロッド28を作動させることにより完全に離型することができる。すなわち、突出板27を介してエジェクタースリーブピン25により樹脂成形品50の端部を押圧することにより、樹脂成形品50はコアピン26から離型され、完全に離型される。
【００２２】
以上、本考案について説明した。本考案に係る射出成形用金型は、スライドコアがローラを介してスライド押えの直線部と傾斜部とを有するガイド面部に押圧されて保持されているのが特徴である。このため、スダイドコアの固定・作動を安定・精確に制御することができ、型開きとスライドコアの作動開始の時間差を大きくとることができる。本考案はかかる射出成形用金型に限らず、複数のアンダーカットを処理する親子スダイドを有する射出成形用金型にも適用することができる。
【符号の説明】
【００２３】
10    固定側型板
13    アンギュラピン
14    ピン穴
15    スライド押え
20    可動側型板
25    エジェクタースリーブピン
26    コアピン
27    突出板
28    エジェクターロッド
30    スライドコア
301  右側のスライドコア
302  左側のスライドコア
32    ピン穴
33    コアシャフト
34    ばね
35    ローラ
50    樹脂成形品（シャンプーブラシ）
51    本体
53    ピン
【図１】
0003225897.tif 000003
【図２】
0003225897.tif 000004
【図３】
0003225897.tif 000005
【図４】
0003225897.tif 000006
【図５】
0003225897.tif 000007